(57)【要約】【課題】複数のレゾネータやサイレンサを設けることなく、広い周波数域のピークレベルを低減し得るエアクリーナを提供する。【解決手段】所定の空間を有するケース本体（２）と、このケース本体（２）内の空間を２つの室（３、４）に仕切るエアエレメント（５）と、この２つの室のうちの一方の室（３）にあって空気を一方の室に導入する第１の開口部と、前記２つの室のうちの他方の室（４）にあって他方の室内の空気をケース本体の外に出す第２の開口部とを備えるエアクリーナにおいて、ケース本体（２）の外周に沿って第３のケース（３１）を被覆し、この第３のケース（３１）とケース本体（２）の外周との間の空間を別室（３２）として設け、この別室（３２）とケース本体（２）内の室（３）とを仕切るケース本体壁に孔面積の異なる複数の孔（２２〜２５）からなるチューニングホール（２１）を配置する。【選択図】図１
2009281308.tif 000002
【特許請求の範囲】
【請求項１】
所定の空間を有するケース本体と、
このケース本体内の空間を２つの室に仕切るエアエレメントと、
この２つの室のうちの一方の室にあって空気を一方の室に導入する第１の開口部と、
前記２つの室のうちの他方の室にあって他方の室内の空気をケース本体の外に出す第２の開口部と
を備えるエアクリーナにおいて
前記ケース本体の外周に沿って第３のケースを被覆し、
この第３のケースとケース本体の外周との間の空間を別室として設け、
この別室とケース本体内の室とを仕切るケース本体壁に孔面積の異なる複数の孔からなるチューニングホールを配置する
ことを特徴とするエアクリーナ。
【請求項２】
所定の空間を有するケース本体と、
このケース本体内の空間を２つの室に仕切るエアエレメントと、
この２つの室のうちの一方の室にあって空気を一方の室に導入する第１の開口部と、
前記２つの室のうちの他方の室にあって他方の室内の空気をケース本体の外に出す第２の開口部と
を備えるエアクリーナにおいて
前記ケース本体の外周に沿って第３のケースを被覆し、
この第３のケースとケース本体の外周との間の空間を別室として設け、
この別室とケース本体内の室とを仕切るケース本体壁に孔面積の異なる複数の孔からなるチューニングホールを配置する
と共に、
前記第３のケースを被覆した状態での外形寸法と、前記第３のケースを被覆しないとしたときのケース本体の外径寸法とが変わらないように前記第３のケースが被覆される部分のケース本体壁の寸法を縮小する
ことを特徴とするエアクリーナ。
【請求項３】
前記別室に吸音材を充填することを特徴とする請求項１または２に記載のエアクリーナ。
【請求項４】
前記孔面積の異なる複数の孔を、前記第１の開口部から離れるほど孔面積が大きくなるように配列することを特徴とする請求項１または２に記載のエアクリーナ。
【発明の詳細な説明】
【技術分野】
【０００１】
この発明は、エンジンに導入される吸気を濾過するエアクリーナの改良、特に広い周波数域で調整可能なサイレンサ機能を有するエアクリーナに関する。
【背景技術】
【０００２】
エンジンに導入される吸気により生じる吸気音の低減のため、エアクリーナのダストサイドに接続される外気導入ダクトや、エアクリーナのクリーンサイドに接続されるクリーンサイドエアダクト等に、サイドブラチ型レゾネータやヘルムホルツ型レゾネータ、拡張レゾネータ、単体サイレンサを設置するものがある（特許文献１参照）。
【特許文献１】特開２００４−４４４２４号公報
【発明の開示】
【発明が解決しようとする課題】
【０００３】
ところで、上記特許文献１の技術では、各レゾネータや単体サイレンサを設けるのスペースをエアクリーナのケース本体とは別に確保する必要があり、また各レゾネータや単体サイレンサのスペースを確保するにしても限界がある。吸気音の生じる周波数は１ｋＨｚ〜５ｋＨｚと広くこのような広い周波数域の吸気音の音圧レベルをすべて低減しようとするとレゾネータや単体サイレンサの数を増やす必要がある。しかしながら、レゾネータ、単体サイレンサの容量やレイアウト上の制約があるため、複数のレゾネータや単体サイレンサを設けることができないことがあり、吸気音の低減効果に限界がある。
【０００４】
そこで本発明は、複数のレゾネータや単体サイレンサをエアクリーナのケース本体とは別に設けることなく、広い周波数域のピークレベルを低減し得るエアクリーナを提供することを目的とする。
【課題を解決するための手段】
【０００５】
本発明は、所定の空間を有するケース本体（２）と、このケース本体（２）内の空間を２つの室（３、４）に仕切るエアエレメント（５）と、この２つの室のうちの一方の室（３）にあって空気を一方の室に導入する第１の開口部と、前記２つの室のうちの他方の室（４）にあって他方の室内の空気をケース本体の外に出す第２の開口部とを備えるエアクリーナにおいて、前記ケース本体（２）の外周に沿って第３のケース（３１）を被覆し、この第３のケース（３１）とケース本体（２）の外周との間の空間を別室（３２）として設け、この別室（３２）とケース本体（２）内の室（３）とを仕切るケース本体壁（）に孔面積の異なる複数の孔（２２〜２５）からなるチューニングホール（２１）を配置する。
【０００６】
また本発明は、所定の空間を有するケース本体（２）と、このケース本体（２）内の空間を２つの室（３、４）に仕切るエアエレメント（５）と、この２つの室のうちの一方の室（３）にあって空気を一方の室に導入する第１の開口部と、前記２つの室のうちの他方の室（４）にあって他方の室内の空気をケース本体の外に出す第２の開口部とを備えるエアクリーナにおいて、前記ケース本体（２）の外周に沿って第３のケース（３１）を被覆し、この第３のケース（３１）とケース本体（２）の外周との間の空間を別室（３２）として設け、この別室（３２）とケース本体（２）内の室（３）とを仕切るケース本体壁（）に孔面積の異なる複数の孔（２２〜２５）からなるチューニングホール（２１）を配置すると共に、前記第３のケース（３１）を被覆した状態での外形寸法と、前記第３のケース（３１）を被覆しないとしたときのケース本体の外径寸法とが変わらないように前記第３のケース（３１）が被覆される部分のケース本体壁の寸法を縮小する。
【発明の効果】
【０００７】
本発明によれば、所定の空間を有するケース本体と、このケース本体内の空間を２つの室に仕切るエアエレメントと、この２つの室のうちの一方の室にあって空気を一方の室に導入する第１の開口部と、前記２つの室のうちの他方の室にあって他方の室内の空気をケース本体の外に出す第２の開口部とを備えるエアクリーナにおいて、前記ケース本体の外周に沿って第３のケースを被覆し、この第３のケースとケース本体の外周との間の空間を別室として設け、この別室とケース本体内の室とを仕切るケース本体壁に孔面積の異なる複数の孔からなるチューニングホールを配置するので、広い周波数域に音圧レベルの高い吸気音の周波数帯が散らばっている場合にも、クリーンサイドエアダクトや外気導入ダクト等に特別なデバイスをつけることなく、ケース本体の外周のスペースを利用して広い周波数域の音圧レベルを低減させることができる。
【０００８】
また本発明によれば、さらに第３のケースを被覆した状態での外形寸法と、第３のケースを被覆しないとしたときのケース本体の外径寸法とが変わらないように第３のケースが被覆される部分のケース本体壁の寸法を縮小するので、エアクリーナの外周にスペースをとる余地が全くない場合であっても、本発明のサイレンサを構成することができる。
【発明を実施するための最良の形態】
【０００９】
以下、本発明の実施形態を図面に基づいて説明する。
【００１０】
図１は第１実施形態のエアクリーナ１の概略正面図である。エアクリーナ１は、所定の空間を有するケース本体２と、このケース本体２内の空間を２つの室３、４に仕切るエアエレメント５と、この２つの室のうちの一方の室３にあって空気を一方の室に導入する第１の開口部と、２つの室のうちの他方の室４にあって他方の室２内の空気をケース本体２の外に出す第２の開口部とを基本的に備えている。ここでは、簡単のためケース本体２が直方体状である場合で考える。実際のエアクリーナのケース本体の形状はエンジンルーム内のレイアウトに合うよう複雑な形状（例えば多角的な箱物形状）をしているが、これら複雑な形状のエアクリーナに対しても本発明を適用可能である。
【００１１】
図１において、ケース本体２は、上方のダストサイドケース１１と、下方のクリーンサイドケース１２とからなっている。ダストサイドケース１１は下方に開口する箱状を、下方のクリーンサイドケース１２は上方に開口する箱状を呈している。ダストサイドケース１１の左側壁１１ａの上部には外気導入ダクト（図示しない）の接続される孔が開口しており、この開口部（第１の開口部）よりほこり（塵埃）を含んだ新気がダストサイドケース１１内に導入される。また、クリーンサイドケース１２の右側壁１２ａ下部にはクリーンサイドエアダクト（図示しない）に接続される孔が開口しており、この開口部（第２の開口部）より、エアエレメント５によりほこりの除かれた新気がクリーンサイドエアダクトへと導入され、クリーンサイドエアダクトに入った新気はエンジンのシリンダへと導入されるようになっている。
【００１２】
エアエレメント５は、例えば不織布を襞折り加工した長方形板状を呈している。エアエレメント５は、ダストサイドケース１１の開口縁と下側ケース３の開口縁との間に挟持固定されている。そして、ダストサイドケース１１とクリーンサイドケース１２とにより形成される閉空間をこのエアエレメント５により上室３と下室４の二室に仕切っている。
【００１３】
以上がエアクリーナ１の基本構成である。この基本構成に対して、本実施形態では、ダストサイドケース１１を構成する５つのケース壁に径の異なる孔を複数有するチューニングホール２１を配置する。
【００１４】
ここで、ダストサイドケース１１を構成する５つのケース壁とは、左右２つのケース側壁１１ａ、１１ｂ、図で前方に位置するケース前壁１１ｃ、後方に位置するケース後壁（図示しない）、ケース天井壁１１ｄの５つである。図１では、ケース前壁１１ｃに４種類の径の異なる孔２２〜２５が、縦に並べて穿設されるともに、この縦列を１単位として左右方向の５箇所にもほぼ等間隔で穿設されている。図示しないが、ダストサイドケース１１の残りのケース壁（左右２つのケース側壁１１ａ、１１ｂ、後方に位置するケース後壁、ケース天井壁１１ｄ）にも同様に４種類の径の異なる孔が穿設されている。
【００１５】
ダストサイドケース１１を構成する５つのケース壁の外周に、これら５つのケース壁との間に所定の空間を隔ててダストサイドケース１１をすっぽり覆う第３のケース３１を設ける。第３のケース３１もダストサイドケース１１と同様に下方に開口する箱状を呈している。
【００１６】
ダストサイドケース１１を構成する５つのケース壁と、この第３のケース３１の内壁との間の空間がエアクリーナ１の別室３２として形成され、この別室３２の空気が外部に漏れることがないように、第３のケース３１の開口縁からダストサイドケース１１に向かって水平に延びる下壁３１ａ、３１ｂを有している。また、別室３２には隙間のないように吸音材３３を充填する。なお、図１は、第３のケース３１の前壁を切り欠いてダストサイドケース１１のケース前壁１１ｃが見えるところを示している。
【００１７】
ダストサイドケース１１を構成する５つのケース壁の外周に別室３２を設けることで、ダストサイドケース１１を構成する５つのケース壁は別室３２とダストサイドケース１１内の上室３とを隔てる壁（つまり隔壁）として再構成される。このため、複数の孔２２〜２５の配列からなるチューニングホール２１を介して空気が上室３と別室３２とを行き来することにより各孔２２〜２５の径に応じた周波数を有する吸気音が消音される。
【００１８】
このようにして、別室３２とチューニングホール２１とからなる一種のサイレンサが構成されることになり、本実施形態では、このサイレンサがエアクリーナのケース本体２と一体に構成されている。
【００１９】
ここで、チューニングホール２１として径の異なる孔を複数設けているのは、孔２２〜２５の径の大きさ（孔面積）により消音できる吸気音の周波数が決まっており、特に音圧レベルの高い吸気音の生じる周波数は広い周波数域に散らばっているため、音圧レベルの高い周波数の吸気音を複数同時に消音しようとすると、径の異なる複数の孔が必要となるためである。実際には、問題となる周波数の吸気音が小さくなるように径の大きさをチューニングするので、ケースバイケースで各孔の径は異なってくる。
【００２０】
第１実施形態では、第３のケース３１をダストサイドケース１１の外周に設けて別室３２を生じさせ、ダストサイドケース１１を構成する５つのケース壁を隔壁として再構成し、その隔壁にチューニングホール２１を設けているが、これに限られるものでなく、第３のケースをクリーンサイドケース１２の外周に設けて別室を生じさせ、クリーンサイドケース１２を構成する５つのケース壁を隔壁として再構成し、その隔壁にチューニングホールを配置するようにしてもかまわない。
【００２１】
次に、本実施形態のサイレンサ（３２、２１）を有するエアクリーナ１の作用効果につい説明する。
【００２２】
図２で示したように、通常、吸気音はＡ、Ｂ、Ｃといった異なる周波数帯でピークを有し、それら３つの各ピークを低減するためにサイドブランチ型レゾネータや拡張レゾネータ、単体サイレンサ等が用いられる。しかしながら、１つのレゾネータ（あるいは１つの単体サイレンサ）で音圧レベルを低減できる効果は、ある特定の周波数帯（例えばＡ、Ｂ、Ｃのいずれか一つの周波数帯）に限られ低減レベルもさほど大きくはない。また、１ｋＨｚ〜５ｋＨｚのような広い周波数域にわたって音圧レベルを低減させることは、レゾネータ、単体サイレンサの容量やレイアウト上の制約条件があり難しい。すなわち、図２に示されるＡ、Ｂ、Ｃの周波数帯を有する吸気音を、図３に示したようにそれぞれ音圧レベル量ａ、ｂ、ｃだけ下げたい場合、従来装置においてはＡ、Ｂ、Ｃの各周波数帯のピークに対してそれぞれレゾネータや単体サイレンサを設置することが必要である。すなわち、Ａ、Ｂ、Ｃの各周波数帯の吸気音について全てのピークを下げようとすれば、３つのレゾネータや３つの単体サイレンサが必要となるが、３つのレゾネータや３つの単体サイレンサを設けるスペースがエンジンルーム内に見い出し得ないことが有り得る。この場合にＡ、Ｂ、Ｃの周波数帯の吸気音全てのピークを下げることができない。
【００２３】
これに対して本施形態（請求項１、２に記載の発明）によれば、ケース本体（ダストサイドケース１１）の外周に沿って第３のケース３１を被覆し、この第３のケース３１とケース本体２の外周との間の空間を別室３２として設け、この別室３２とケース本体２内の室（３）とを仕切るケース本体壁（ダストサイドケース１１を構成する５つのケース壁）に孔面積（径）の異なる複数の孔２２〜２５からなるチューニングホール２１を配置するので、別室３２とチューニングホール２１とが一種のサイレンサとして機能することとなり、図３実線に示したように、ピークを有する異なる３つの周波数帯（Ａ、Ｂ及びＣ）の吸気音の全ての音圧レベルを低減することができている。すなわち、１ｋＨｚ〜５ｋＨｚといった広い周波数域に音圧レベルの高い吸気音の周波数帯が散らばっている場合にも、クリーンサイドエアダクトや外気導入ダクト等に特別なデバイスをつけることなく、ケース本体２の外周のスペースを利用して広い周波数域の音圧レベルを低減させることができる。
【００２４】
図４は別室３２とチューニングホール２１とからなる本実施形態のサイレンサの容量（スペース）を活かした、単体サイレンサとの効果の違いを示している。図４のように、単体サイレンサと比較して本実施形態のサイレンサ（３２、２１）を有するエアクリーナ１の効果が大きいことがわかる。すなわち、単体サイレンサの一般的な効果範囲はサイレンサの容量が比較的小さくかつ音圧レベルの低減量も小さなものにとどまるのに対して、本実施形態のサイレンサ（３２、２１）を有するエアクリーナ１によれば、単体サイレンサの場合よりサイレンサの容量を大きくすることができるため、その分音圧レベルの低減量が大きくなっている。
【００２５】
これに対して、単体サイレンサを本実施形態のサイレンサ（３２、２１）と同等の容量を持たせるには、レイアウトの制約上非現実的であり、コストも高くなる。
【００２６】
図５は本実施形態のサイレンサ（３２、２１）の容量内、つまり別室３２に充填する吸音材３３の量(重量)の違いから、それぞれ単体サイレンサと比較して、音圧低減効果があることを示している。すなわち、吸音材３３を厚くするほど、音圧レベルの低減量が大きくなっている。また、吸音材３３の材質の相違により、音圧レベルが低減する周波数帯が異なっている。
【００２７】
図６はチューニングホール２１を構成する４つの孔２２〜２５の孔径の相違による効果上の違いを示している。すなわち、図６に示したように、４つの孔２２〜２５の孔径の相違により音圧レベルが低減する周波数帯が異なっている。従って、本実施形態によれば、異なる径の複数の孔２２〜２５を組み合わせることにより、様々な周波数帯の音圧レベルをともに低減できることがわかる。
【００２８】
図７はチューニングホール２１を構成する４つの孔２２〜２５の縦１列分を一単位として、この配列の左右方向の総数により音圧レベルの低減量が異なることを示している。すなわち、４つの孔２２〜２５の縦１列分が、例えばサイドブランチレゾネータ１個による音圧レベルの低減量と同等の効果があるとすれば、本実施形態のサイレンサ（３２、２１）を有するエアクリーナ１では４つの孔２２〜２５の縦列の総数を任意に増やすことができるため、サイドブランチレゾネータを多数設けたのと同等の効果を得ることができる。
【００２９】
次に、図８、図９は第３のケース３１及び吸音材３３のケース本体２への異なる取り付け方法を示している。ただし、別室３２とケース本体２内の室（３）とを仕切るケース本体壁に穿設する、径の異なる孔は３つである場合を示し、エアエレメントは省略して示していない。
【００３０】
まず図８は、本実施形態のサイレンサを適用する前の基本構成のエアクリーナの仕様をできるだけ変えないようにしたものであり、基本的に図１と同じである。すなわち、図８では基本構成のダストサイドケース１１を構成する５つのケース壁にチューニングホール２１を追加して配置した後に、第３のケース３１の内周に形成される別室３２に吸音材３３を収納させたものをダストサイドケース１１の外周に上から被せるように取り付けている。図８に示した第３のケース３１及び吸音材３２の取り付け方法は、基本構成のエアクリーナ（ケース本体２）の周囲に第３のケース３１及び吸音材３２を取り付けることが可能なスペースが残っている場合に適用することができる。
【００３１】
このように、図８に示したサイレンサ（３１、２１）を有するエアクリーナ１（請求項１に記載の発明）によれば、基本構成のエアクリーナにおけるケース本体２に対してチューニングホール２１を構成する複数の孔２２〜２４を加工する操作を追加するだけで済むため、基本構成のエアクリーナの仕様を大きく変更しないで済むメリットが生じる。
【００３２】
これに対して図９は本実施形態のサイレンサを適用した後も、本実施形態のサイレンサを適用する前の基本構成のエアクリーナのの外形寸法を変えないようにしたものである。すなわち、図９ではダストサイドケース１１を構成する５つのケース壁にチューニングホール２１を配置した後に、第３のケース３１の内周に形成される別室３２に吸音材３３を収納させたものをダストサイドケース１１の外周に上から被せるように取り付けた状態で、本実施形態のサイレンサを考えていなかった状態での基本構成のエアクリーナの外径寸法と同じになるように、ダストサイドケース１１の仕様を変更している。図９に示した第３のケース３１及び吸音材３２の取り付け方法は、本実施形態のサイレンサを考えていなかった状態で基本構成のエアクリーナの外周にスペースをとる余地が全くない場合に適用することができる。
【００３３】
このように、図９に示したサイレンサ（３１、２１）を有するエアクリーナ１（請求項２に記載の発明）によれば、第３のケース３１をダストサイドケース１１に被覆した状態でのエアクリーナ外形寸法と、第３のケース３１を被覆しないとしたときのエアクリーナ（ケース本体）の外径寸法とが変わらないように第３のケース３１が被覆される部分のケース本体壁（ダストサイドケース１１を構成する５つのケース壁）の寸法を縮小するので、エアクリーナの外周にスペースをとる余地が全くない場合であっても、本発明のサイレンサ（３１、２１）を構成することができる。
【００３４】
第３のケース３１及び吸音材３２の取り付け方法に関しては、エンジンルーム内のレイアウト及びエアクリーナの形状により、図８と図９のいずれを採用するかを決定すればよい。
【００３５】
図１０〜図１５はダストサイドケース１１を構成する５つのケース壁に配置する、第２〜第７の実施形態のチューニングホールの６つのバリエーションを示している。すなわち、第２実施形では図１０に示すように円状の孔５１を縦、横に配列することにより、第３実施形では図１１に示すように液滴を横にしたような形状の孔５２を縦、横に配列することにより、第４実施形では図１２に示すように正方形の孔５３を縦、横に配列することにより、第５実施形では図１３に示すように円状の孔５１と正方形の孔５３と三角形の孔５４とを縦、横に任意に配列することにより、第６実施形では図１４に示すように三角形の孔５４を縦、横に配列することにより、第７実施形態では図１５に示すように楕円状の孔５５を縦、横に配列することによりそれぞれチューニングホール４１〜４６を構成している。
【００３６】
図１０〜図１５に示すようなチューニングホール４１〜４６を、図１で前述したようにチューニングホール２１を構成する個々の孔２２〜２５の孔面積が異なるよう配列することにより、図２に示すような複数の周波数帯の音圧レベルを低減できる。なお、問題とする周波数の吸気音の音圧レベルが低減するようにチューニングホールを構成する個々の孔の面積をチューニングすることになるが、その孔の形状は図１０〜図１５の中から任意に組合せることができる。
【００３７】
図１６、図１７は第８、第９の実施形態のエアクリーナ１の概略正面図で、図１と置き換わるものである。ただし、第８、第９の実施形態の要部はチューニングホールにあるため、第３のケース、別室及び吸音材は省略して示していない。
【００３８】
ダストサイドケース１１の左側壁１１ａの上部から外気導入ダクト６１がダストサイドケース１１内に突出している。空気はこの外部導入ダクト６１からダストサイドケース１１内の上室３に導かれ、ここから上室３内に広がりつつエアエレメント５に衝突し、このエアエレメント５によりほこりが除かれつつ下室４へと流れる。
【００３９】
この場合に、第８、第９の実施形態は、図１６、図１７に示したように外部導入ダクト開口端６１ａ（第１の開口部）からの上室３への空気の流れに沿って、つまり外気導入ダクト開口端６１ａから離れるほど孔面積が３段階で大きくなるように、第８実施形態では図１６のように複数の丸孔７２、７３、７４を配列させたチューニングホール７１を、第９実施形態では図１７のように図１６とは異なる形状の複数の孔８２、８３、８４を配列させたチューニングホール８１をそれぞれ配置している。
【００４０】
外気導入ダクト開口端６１ａの付近に径の小さな孔７２、８２を配置したのは、空気が外気導入ダクト開口端６１ａより上室３に流入する付近で上室３内に気流の乱れが生じて高い周波数帯の音圧レベルが上昇しあるいは形状因子による共振（増幅）が生じこれが高い周波数帯の音圧レベルを上昇させるため、高い周波帯での音圧レベルの低減に効果のある小径の孔７２、８２を外気導入ダクト開口端６１ａの付近に集中して配列したほうが高い周波数帯の音圧レベルを低減できるためである。
【００４１】
このように、第８、第９の実施形態（請求項４に記載の発明）によれば、孔面積（孔径）の異なる複数の孔７２〜７４、８２〜８４を、外気導入ダクト開口端６１ａ（第１の開口部）から離れるほど孔面積が大きくなるように配列するので、外気導入ダクト開口端６１ａから上室３へと空気が導入される付近で気流の乱れもしくは形状因子による共振（増幅）の影響があっても、高い周波数帯での音圧レベルを効果的に低減でき、全体として前述の第１実施形態よりもさらに音圧レベルの低減を図れる。
【００４２】
実施形態では、ダストサイドケースを構成する５つのケース壁の全てにチューニングホールを配置する場合で説明したが、必ずしも５つのケース壁の全てにチューニングホールを配置しなくてもかまわない。
【図面の簡単な説明】
【００４３】
【図１】本発明の第１実施形態のエアクリーナの概略正面図。
【図２】第１実施形態のサイレンサを有しないエアクリーナの場合の周波数に対する音圧レベルの特性図。
【図３】第１実施形態のサイレンサを有するエアクリーナの場合の周波数に対する音圧レベルの特性図。
【図４】第１実施形態のサイレンサを有するエアクリーナと単体サイレンサとの効果の違いを示すためのサイレンサ容量に対する音圧レベル低減量の特性図。
【図５】吸音材の厚さと材質を相違させた場合の周波数に対する音圧レベル低減量の特性図。
【図６】チューニングホールを構成する４つの孔の径の相違による効果上の違いを示すための周波数に対する音圧レベルの特性図。
【図７】第１実施形態のサイレンサを有するエアクリーナとサイドブランチレゾネータとの効果の違いを示すためのチューニングホールを構成する複数の孔からなる列の総数に対する音圧レベル低減量の特性図。
【図８】第３のケースのダストサイドケースへの一の取り付け方法を示すためのエアクリーナの概略正面図。
【図９】第３のケースのダストサイドケースへの異なる取り付け方法を示すためのエアクリーナの概略正面図。
【図１０】第２実施形態のチューニングホールの概略図。
【図１１】第３実施形態のチューニングホールの概略図。
【図１２】第４実施形態のチューニングホールの概略図。
【図１３】第５実施形態のチューニングホールの概略図。
【図１４】第６実施形態のチューニングホールの概略図。
【図１５】第７実施形態のチューニングホールの概略図。
【図１６】第８実施形態のエアクリーナの概略正面図。
【図１７】第９実施形態のエアクリーナの概略正面図。
【符号の説明】
【００４４】
１  エアクリーナ
２  ケース本体
３  上室
４  下室
５  エアエレメント
１１  ダストサイドケース
２１  チューニングホール
２２〜２５  複数孔
３１  第３のケース
３２  別室
３３  吸音材
【図１】
2009281308.tif 000003
【図２】
2009281308.tif 000004
【図３】
2009281308.tif 000005
【図４】
2009281308.tif 000006
【図５】
2009281308.tif 000007
【図６】
2009281308.tif 000008
【図７】
2009281308.tif 000009
【図８】
2009281308.tif 000010
【図９】
2009281308.tif 000011
【図１０】
2009281308.tif 000012
【図１１】
2009281308.tif 000013
【図１２】
2009281308.tif 000014
【図１３】
2009281308.tif 000015
【図１４】
2009281308.tif 000016
【図１５】
2009281308.tif 000017
【図１６】
2009281308.tif 000018
【図１７】
2009281308.tif 000019